(57)【要約】【課題】電気機器を容易に配線接続することができる建築用パネルを提供する。【解決手段】パネル本体２に電気機器３が設けられた天井７又は壁用の建築用パネルである。パネル本体２にパネル本体２の外側方Ａに向けて開口する収納凹所１９が形成され、電気機器３に外部の配線２８を接続するための電気的接続部１５がパネル本体２内を通るリード線１３を介して接続される。電気的接続部１５が収納凹所１９に外側方Ａから引き出し自在に収納され、パネル本体２に前記電気的接続部１５の収納凹所１９からの引出し代を制限する引出し代制限手段が設けられる。【選択図】        図１
2010180562.tif 000002
【特許請求の範囲】
【請求項１】
パネル本体に電気機器が設けられた天井又は壁用の建築用パネルにおいて、パネル本体にパネル本体の外側方に向けて開口する収納凹所が形成され、外部の配線を接続するための電気的接続部がパネル本体内を通るリード線を介して前記電気機器に接続され、該電気的接続部が収納凹所に前記外側方から引き出し自在に収納され、パネル本体に前記電気的接続部の収納凹所からの引出し代を制限する引出し代制限手段が設けられることを特徴とする建築用パネル。
【請求項２】
電気的接続部に前記配線の端部に設けられたコネクターを接続可能で、且つ、収納凹所が電気的接続部及び電気的接続部に接続された前記コネクターを外側方から引き出し自在に収納可能であり、電気的接続部と前記コネクターの接続状態が不完全なときに電気的接続部に接続された前記コネクターを収納凹所に収納不能とする収納規制手段を備えることを特徴とする請求項１に記載の建築用パネル。
【発明の詳細な説明】
【技術分野】
【０００１】
本発明は電気機器が設けられた天井又は壁用の建築用パネルに関する。
【背景技術】
【０００２】
従来、例えば特許文献１に示す輻射暖房パネルのような電気機器を備えた建築用パネルが利用されている。
【先行技術文献】
【特許文献】
【０００３】
【特許文献１】特表２００６−５０９１７８
【発明の概要】
【発明が解決しようとする課題】
【０００４】
ところで、この種の建築用パネルの電気機器は外部の配線に接続されるが、建築用パネルの電気機器が建築用パネルの内部にて配線に接続されると作業に手間を要し、また、建築用パネルの外部において接続されると見栄えが悪い。
【０００５】
本発明は上記従来の事情に鑑みてなされたものであって、電気機器を容易に配線接続することができて外観に優れた建築用パネルを提供することを課題とする。
【課題を解決するための手段】
【０００６】
上記課題を解決するために本発明は以下の構成を有する。パネル本体２に電気機器３が設けられた天井７又は壁用の建築用パネルである。パネル本体２にパネル本体２の外側方Ａに向けて開口する収納凹所１９が形成され、外部の配線２８を接続するための電気的接続部１５がパネル本体２内を通るリード線１３を介して前記電気機器３に接続される。該電気的接続部１５が収納凹所１９に外側方Ａから引き出し自在に収納され、パネル本体２に前記電気的接続部１５の収納凹所１９からの引出し代を制限する引出し代制限手段が設けられる。
【０００７】
また、本発明において、電気的接続部１５に前記配線２８の端部に設けられたコネクター２１ａ、２１ｂを接続可能で、且つ、収納凹所１９が電気的接続部１５及び電気的接続部１５に接続された前記コネクター２１ａ、２１ｂを外側方Ａから引き出し自在に収納可能とした場合には、電気的接続部１５と前記コネクター２１ａ、２１ｂの接続状態が不完全なときに電気的接続部１５に接続された前記コネクター２１ａ、２１ｂを収納凹所１９に収納不能とする収納規制手段を備えることが好ましい。
【発明の効果】
【０００８】
本発明にあっては、電気的接続部をパネル本体の外側方に引き出し、これに他の電気器具のコネクター等を接続し、この後、電気的接続部を収納凹所に収納することができ、配線作業やメンテナンスが容易になる。また、電気的接続部の収納凹所からの引出し代を制限する引出し代制限手段を備えているので、電気的接続部を引き出した際に電気的接続部と電気機器を接続するリード線が長く引き出されることを防止でき、再度電気的接続部を収納凹所に収納する作業を容易に行うことができる。
【０００９】
また、電気的接続部とコネクターの接続状態が不完全なときに電気的接続部に接続されたコネクターを収納凹所に収納不能とする収納規制手段を備えるので、電気的接続部に対してコネクターを確実に接続することができる。
【図面の簡単な説明】
【００１０】
【図１】本発明の実施の形態の一例を示す図３のＡ−Ａ断面図である。
【図２】同上の建築用パネルの分解斜視図である。
【図３】同上の建築用パネルの表面板の図示を省略した斜視図である。
【図４】同上の電気的接続部を外方に引き出した状態を示す表面板の図示を省略した斜視図である。
【図５】同上の建築用パネルを部屋の天井に施工した状態を示す斜視図である。
【図６】（ａ）〜（ｃ）は同上の建築用パネルの施工手順を順に示す説明図である。
【図７】同上の建築用パネルから保持部材を引き出した状態を示し、（ａ）は電気的接続部に正しくコネクターが接続されている状態を示す正面図であり、（ｂ）は電気的接続部にコネクターが不完全な状態で接続された状態を示す正面図である。
【図８】同上の電気的接続部に電気的接続部にコネクターが不完全な状態で接続された状態を示す斜視図である。
【発明を実施するための形態】
【００１１】
以下、本発明の実施形態の一例について添付図面に基づいて説明する。
【００１２】
本例の建築用パネルは、住宅における天井材を構成するパネル本体２に電気機器３を構成する面状ヒーター３ａ、３ｂが設けられた内装パネル１であり、輻射暖房パネルとして用いられる。
【００１３】
パネル本体２は長方形状に形成され、図２のように基材４、断熱材５、及び表面材６で構成される。基材４、断熱材５、及び表面材６はこの順序で天井７側から順に配置される。
【００１４】
基材４は、木製又は樹脂製で矩形状の枠体９と、枠体９に裏打ちされる板状の裏面材１０で構成されている。
【００１５】
枠体９の長辺を構成する両側の桟材９ｂの間には中桟９ｃが架設され、基材４の表面の長手方向の両側には枠体９内側の前記中桟９ｃで仕切られた空間からなる矩形状の凹み部１１が夫々形成されている。各凹み部１１には断熱材５が収納される。
【００１６】
各断熱材５は種類の異なる２つの断熱部材５ａ、５ｂで構成されている。本例では、断熱部材５ａが剛性の高いウレタン樹脂からなり、断熱部材５ｂが断熱性の優れた真空断熱部材からなるが、これに限定されるものではなく、例えば断熱部材５ａが硬質ウレタン樹脂からなり、断熱部材５ｂが軟質ウレタン樹脂からなるもの等であってもよい。
【００１７】
断熱部材５ａは凹み部１１に嵌め込まれる。断熱部材５ａの表面には矩形状の凹部からなる嵌込部１２が形成され、該嵌込部１２に断熱部材５ｂが嵌め込まれて断熱部材５ａの表面側Ｂに重ねられる。
【００１８】
各断熱部材５ｂの表面側Ｂには面状ヒーター３ａ、３ｂが配置され、各面状ヒーター３ａ、３ｂも嵌込部１２内に配置される。
【００１９】
面状ヒーター３ａ、３ｂはＰＴＣヒーターからなり、風のない輻射方式で天井７側から、室温上昇を抑えつつ、人や布団等を直接暖めることができる。
【００２０】
各面状ヒーター３ａ、３ｂには電源線からなるリード線１３を介してコネクター１４が接続されている。各コネクター１４は中継器１５ａの面状ヒーター３ａ、３ｂ側の前面に形成された接続部１６に着脱自在に接続される。このようにリード線１３を介して面状ヒーター３ａ、３ｂに接続された中継器１５ａは面状ヒーター３ａ、３ｂに対して移動可能となっている。
【００２１】
図４のように各中継器１５ａの左右の両側面には外部の配線２８を接続するための接続部１７が形成されている。各接続部１７には、前記パネル本体２に内装される面状ヒーター３ａ、３ｂ以外の他の電気器具に電気的に接続されたコネクター２１ａ、２１ｂが着脱自在に接続され、コネクター２１ａ、２１ｂは配線２８を介して他の電気器具に接続される。
【００２２】
前記他の電気器具としては、天井７裏に配置される電源や、隣接して設置される内装パネル１の面状ヒーター３ａ、３ｂ等が挙げられる。すなわち、各中継器１５ａは面状ヒーター３ａ、３ｂを他の電気器具に電気接続するための電気的接続部１５を構成している。
【００２３】
前記他の電気器具を中継器１５ａの接続部１７に接続することにより、当該内装パネル１の面状ヒーター３ａ、３ｂに電力を供給することができる。
【００２４】
図２に示される表面材６は木質板や樹脂板、金属板からなり、枠体９の表面側Ｂに取り付けられ、断熱材５及び面状ヒーター３ａ、３ｂを覆う。
【００２５】
パネル本体２の長手方向における両側の側端部には、パネル本体２の表面側Ｂ及び外側方Ａに開放する配線用空間部１８とパネル本体２の外側方Ａに開口する収納凹所１９が形成されている。
【００２６】
各配線用空間部１８はパネル本体２の幅方向に亘って形成され、パネル本体２の幅方向の両端面から開放している。パネル本体２の長さ方向の両側の端部においては、図１のように裏面材１０の側端部が枠体９の側端面よりも外側方Ａに突出し、また、表面材６の側端面が枠体９の側端面と略面一とされる。これによりパネル本体２の長手方向の両側端部には配線用空間部１８を構成する外側方Ａ及び表面側Ｂに開放した段状の凹所が形成される。
【００２７】
各収納凹所１９は配線用空間部１８の長手方向の一部をパネル本体２の内側に延ばして形成され、パネル本体２の幅方向の中央部に形成されている。具体的には、図３や図４に示すように、枠体９の短辺を構成する桟材９ａの長手方向中央部の表面に配線用空間部１８に連通する凹所２０を形成してあり、この配線用空間部１８を介してパネル本体２の外側方Ａに開口する凹所２０により各収納凹所１９が構成されている。
【００２８】
表面材６と裏面材１０に挟まれる各桟材９ａの長手方向の両側には、配線用空間部１８に連続する凹所からなる余剰配線収納部２３が形成され、各余剰配線収納部２３は配線用空間部１８を介してパネル本体２の外側方Ａに開放している。各余剰配線収納部２３は基材４の裏面部に形成された開口２４を介して基材４の裏面側に連通している。
【００２９】
各収納凹所１９は桟材９ａに形成された溝２６を介して対応する凹み部１１に連通している。各断熱部材５ａの溝２６に対向する側端部の中央部には溝２６を嵌込部１２内に連通させる切欠２７が形成されている。
【００３０】
各面状ヒーター３ａ、３ｂに接続されたリード線１３は切欠２７及び溝２６で構成されたリード線通路を介して対応する収納凹所１９に導出され、これらリード線１３の端部に接続されたコネクター１４は該コネクター１４が接続された中継器１５ａと共に収納凹所１９に収納される。
【００３１】
前記各中継器１５ａとこれに接続されるコネクター１４、２１ａ、２１ｂは、図３のように収納凹所１９に収納される保持部材３０によって保持された状態で収納凹所１９に配置される。これら中継器１５ａ及びコネクター１４、２１ａ、２１ｂは、図４のように保持部材３０に保持され、保持部材３０と共に収納凹所１９の外側方Ａからパネル本体２の外側方Ａに引き出されたり、この引き出された状態から収納凹所１９に挿入され元の図３に示す状態とすることができる。
【００３２】
各保持部材３０は折曲加工された金属板や樹脂板等で構成される。各保持部材３０は、収納凹所１９の上面に沿ってパネル本体２の長手方向にスライドする板部３１と、板部３１からパネル本体２の表面側Ｂに向けて突出する突片３２ａ、３２ｂ、３２ｃとで構成されている。
【００３３】
板部３１は、保持部材３０の出し入れ方向と平行な前後方向において中央に位置する平面視矩形状の中央部３５と、中央部３５の両側からパネル本体２の外側方Ａとなる後方に向けて突出する後方突出部３６と、中央部３５の両側からパネル本体２の内側方となる前方に向けて突出する前方突出部３７で構成されている。
【００３４】
中央部３５には、両後方突出部３６の間に位置する後縁、両側縁、及び両前方突出部３７の間に位置する前縁の夫々に突片３２ａが形成されている。これら突片３２ａで囲まれた領域３８は、図４のように、中継器１５ａとこれに接続されたコネクター１４、２１ａ、２１ｂの４者をパネル本体２の表面側から出し入れ可能に配置するためのスペースとなる。この領域３８に配置された中継器１５ａ及びコネクター１４、２１ａ、２１ｂは、各突片３２ａによって保持部材３０に対する水平方向の移動が規制され、これにより保持部材３０によって保持される。
【００３５】
前記保持部材３０の中央部３５の前縁に形成された突片３２ａと後縁に形成された突片３２ａの間には中継器１５ａ及びこれに接続されたコネクター１４を嵌め込んでこれらを前後に移動しないように保持することができる。このため、コネクター１４、２１ａ、２１ｂのうちコネクター２１ａやコネクター２１ｂが中継器１５ａに接続されていない状態にあっても、保持部材３０にて中継器１５ａとこれに接続されたコネクター１４を保持することが可能となっている。
【００３６】
前記領域３８には、中継器１５ａの接続部１６に完全にコネクター１４を接続し、且つ中継器１５ａの両側の接続部１７に完全にコネクター２１ａ、２１ｂを接続した状態にあるときにのみ、中継器１５ａ及びこれに接続されたコネクター１４、２１ａ、２１ｂの４者を配置することができる。つまり、コネクター１４、２１ａ、２１ｂのうちいずれか一つでも中継器１５ａに不完全な状態で接続されている場合には、図８のように４者１５ａ、１４、２１ａ、２１ｂを領域３８に挿入する際にコネクター１４、２１ａ、２１ｂが突片３２ａに当たる等して保持部材３０にて保持することができない。これにより、作業者は中継器１５ａに不完全に接続されたコネクター１４、２１ａ、２１ｂが存在することを容易に認識できる。
【００３７】
各後方突出部３６の後縁には突片３２ｂが形成されている。これら保持部材３０の後端部に形成された各突片３２ｂは、保持部材３０を収納凹所１９から引き出す際に指を掛けるための指掛け部を構成する。また、各前方突出部３７は前端部に左右方向の外側に向けて突出する突部３９を有している。各突部３９の後縁には突片３２ｃが形成され、これら突片３２ｃは後述のストッパー部４０に当たる当たり部を構成する。
【００３８】
他方、パネル本体２には前記各中継器１５ａの収納凹所１９からの引出し代を制限する引出し代制限手段が設けられている。本例の引出し代制限手段は前記中継器１５ａを保持する保持部材３０の収納凹所１９からの引出し代を制限することで中継器１５ａの引出し代を制限するものである。
【００３９】
具体的には、本例の引出し代制限手段は保持部材３０を収納する収納凹所１９の左右両側面から突出するストッパー部４０にて構成されている。
【００４０】
各ストッパー部４０には、図４のように収納凹所１９から引き出された保持部材３０の対応する突片３２ｃの背面が当接して、保持部材３０がそれ以上パネル本体２の外側方Ａに引き出せないようにしてある。
【００４１】
前記図４に示す状態、すなわち保持部材３０を収納凹所１９から最大限外側方Ａに引き出した状態では、保持部材３０の領域３８の全てが表面材６よりも外側方Ａに位置し、前記中継器１５ａとこれに接続されたコネクター１４、２１ａ、２１ｂの４者がパネル本体２の表面側より領域３８に出し入れできる状態となる。
【００４２】
また、図３に示すように、収納凹所１９に、保持部材３０とこれに保持された中継器１５ａ及びコネクター１４、２１ａ、２１ｂを収納した状態では、コネクター２１ａ、中継器１５ａ、及びコネクター２１ｂの３者が前記両ストッパー部４０の間に配置される。
【００４３】
ここで、図８のように、中継器１５ａに接続されたいずれかのコネクター１４、２１ａ、２１ｂが不完全な接続状態にあるときに、保持部材３０と共に中継器１５ａ及びコネクター１４、２１ａ、２１ｂを収納凹所１９に収納しようとした場合には、不完全な接続状態にあるコネクター１４、２１ａ、２１ｂがストッパー部４０や表面材６の側縁に当たり、収納凹所１９に図３に示す収納状態まで挿入することができないようになっている。
【００４４】
つまり、前記保持部材３０の各突片３２ａ、ストッパー部４０、及び表面材６は、中継器１５ａとコネクター１４、２１ａ、２１ｂの接続状態が不完全なときにこれら中継器１５ａ及びコネクター１４、２１ａ、２１ｂを収納不能とする収納規制手段を構成している。
【００４５】
また、中継器１５ａの接続部１７にコネクター２１ａ、２１ｂを介して接続された配線２８は配線用空間部１８に収納される。また、配線２８の余剰部分は余剰配線収納部２３に収納することができ、これにより配線２８を余裕をもって中継器１５ａに接続可能になると共に、余った配線２８の余剰部分が配線用空間部１８の外部にはみ出すのを防止できる。また、余剰配線収納部２３は天井７裏等から開口２４を介してパネル本体２に導入された配線２８を配線用空間部１８まで通すためにも用いられる。
【００４６】
図６（ｂ）、（ｃ）に示すようにパネル本体２の長手方向の両側の側端部には、収納凹所１９に収納された中継器１５ａ及び配線用空間部１８や余剰配線収納部２３に収納された配線２８を覆う端部カバー２９が着脱自在に装着される。
【００４７】
各端部カバー２９はパネル本体２の短辺の全長に亘り、内装パネル１の縁材を構成する。なお、端部カバー２９は、図６（ｃ）のように隣接して設置される複数のパネル本体２に亘って設けられるものであってもよいし、パネル本体２毎に設けられるものであってもよい。
【００４８】
図５は、上記構成の内装パネル１を住宅における天井面７ａの一部から突出するように該天井面７ａに重ねて取り付け施工した場合の一例を示しており、以下、施工の一例に付き説明する。
【００４９】
図５のように内装パネル１を天井面７ａに取り付けるには、まず図６（ａ）→（ｂ）のように複数枚のパネル本体２を互いに隣接するように並列配置した状態で天井面７ａにねじ等で固定する。
【００５０】
その後、各パネル本体２の側端部において、面状ヒーター３ａ、３ｂにコネクター１４及びリード線１３を介して接続された中継器１５ａの接続部１７に他の電気器具に電気的に接続されたコネクター２１ａ、２１ｂを接続する。
【００５１】
このとき、図３→図４のように、保持部材３０を収納凹所１９から引き出すことで、該保持部材３０に保持された中継器１５ａを、リード線１３及びコネクター１４を介して面状ヒーター３ａ、３ｂに接続した状態のまま、パネル本体２の外側方Ａに引き出し、次いで中継器１５ａの接続部１７に横方向からコネクター２１ａ、２１ｂを接続し、この後、図３のように中継器１５ａ及びこれに接続されたコネクター２１ａ、２１ｂを保持部材３０と共に収納凹所１９内に押し戻すことにより、パネル本体２内部の収納凹所１９に中継器１５ａ、コネクター２１ａ、２１ｂを納め、また、このコネクター２１ａ、２１ｂに接続された配線２８を配線用空間部１８や余剰配線収納部２３に配置する。
【００５２】
この要領で隣接する各内装パネル１間に順次送り配線し、最後に図６（ｂ）→（ｃ）のように隣接して設置された複数のパネル本体２の側端部に亘って端部カバー２９が装着され、複数枚の内装パネル１からなるパネルユニットが構成される。
【００５３】
以上説明した本例の内装パネル１は、中継器１５ａが収納凹所１９に前記外側方Ａの開方部１９ａを介して引き出し自在に収納されるので、配線作業やメンテナンスが容易になる。また、中継器１５ａの収納凹所１９からの引出し代を制限する引出し代制限手段を備えているので、リード線１３がパネル本体２の外側方Ａに長く引き出されることを防止でき、再度中継器１５ａを収納凹所１９に収納する作業を容易に行うことができる。
【００５４】
また、中継器１５ａとコネクター１４、２１ａ、２１ｂの接続状態が不完全なときに中継器１５ａに接続されたコネクター１４、２１ａ、２１ｂを収納凹所１９に収納不能とする収納規制手段を備えるので、中継器１５ａに対してコネクター１４、２１ａ、２１ｂを確実に接続することができる。
【００５５】
なお、本例では内装パネル１は天井７に施工する場合につき説明したが、同様に壁に施工してもよい。
【００５６】
また、電気機器３を面状ヒーター３ａ、３ｂとしたが、パネル本体２に設けられる電気機器３は、その他の暖房器具や、照明器具、音響器具等であってもよい。また、配線２８やリード線１３は電源線であるが、信号線であってもよい。
【００５７】
また、各電気的接続部１５はコネクター１４及びリード線１３を介して面状ヒーター３ａ、３ｂに接続される中継器１５ａとしたが、電気的接続部１５はリード線１３のみを介して面状ヒーター３ａ、３ｂに接続されるものであってもよい。
【００５８】
また、電気的接続部１５は収納凹所１９に出し入れ自在に収納される保持部材３０に保持されるものとしたが、保持部材３０を設けず、電気的接続部１５を単独で収納凹所１９に出し入れ自在に収納されるものであってもよい。また、収納凹所１９はパネル本体２の長手方向の端部に設けたが、短手方向の端部に設けてもよい。また、枠体９と裏面材１０は一体に形成してもよく、また、基材４は枠体９のみで構成してもよい。また、断熱材５は一部材で構成してもよく、また、断熱部材５ａを基材４と一体に構成してもよい。
【符号の説明】
【００５９】
Ａ  外側方
１  内装パネル
２  パネル本体
３  電気機器
７  天井
１５  電気的接続部
１９  収納凹所
【図１】
2010180562.tif 000003
【図２】
2010180562.tif 000004
【図３】
2010180562.tif 000005
【図４】
2010180562.tif 000006
【図５】
2010180562.tif 000007
【図６】
2010180562.tif 000008
【図７】
2010180562.tif 000009
【図８】
2010180562.tif 000010